(57)【特許請求の範囲】
【請求項１】
公衆電話網に接続する複数の局線と構内交換機に接続する複数の構内交換機側回線とを接続するように、前記公衆電話網と前記構内交換機間に挿入された回線中継装置において、
前記複数の局線の各々について、１０ＰＰＳ、２０ＰＰＳ又はＰＢの信号種別の内の一と複数の着信種別の一とを属性データとして設定する第１設定手段と、
前記複数の局線と前記複数の構内交換機側回線とを対応付ける接続制限情報を設定する第２設定手段と、
前記局線からの着信呼に対して、前記第２設定手段で設定された情報により接続先となる前記構内交換機側回線を選択した上で、前記第１設定手段によって設定された着信種別のシーケンスに従い、呼出信号は公衆電話網側から構内交換機側へ、通話線の直流の状態変化は双方向に、通話路スイッチを経由せずに中継する呼接続中継手段と、を備え、
ダイヤルイン、発呼者番号表示又はモデムダイヤルイン等の前記公衆電話網が提供するサービスの着信条件に対応することを特徴とする回線中継装置。
【請求項２】
前記第１設定手段と前記第２設定手段を保守端末装置にて構成し、
該保守端末装置は、前記複数の局線の各々に対して設定する前記属性データ及び前記複数の局線と前記複数の構内交換機側回線とを対応付ける接続制限情報を一覧表入力データとして入力させた上で、保守端末装置で中央制御装置が認識するデータフォーマットに変換し、前記呼接続中継手段を構成する中央制御装置に転送することを特徴とする請求項１に記載の回線中継装置。
【発明の詳細な説明】
【０００１】
【発明の属する技術分野】
本発明は、公衆電話網と構内交換機の間にあって、相互の回線を接続する回線中継装置に関する。
【０００２】
【従来の技術】
従来、複数の公衆電話網があり、前記公衆電話網は相互に網間接続されているようなネットワークにおいては、同じ被呼者番号に電話をかける場合にも、選択する公衆電話網によって電話料金が変わることがあり、これを解決するために公衆電話網と構内交換機の間に回線中継装置を設け、電話料金の安い公衆電話網を選択、接続することが行われている。
【０００３】
しかし、この様な従来の回線中継装置は、着信呼がすべてベルを鳴らすだけのリングダウン着信であるという前提に立っていた。
【０００４】
然るに近年、ダイヤルイン着信、発呼者番号表示着信、発呼者番号表示ダイヤルイン着信といった、着信時に複雑な制御を必要とするサービスが実用化されてきた。
【０００５】
【発明が解決しようとする課題】
しかしながら、上記のような従来の方式では、ダイヤルイン着信、発呼者番号表示着信、発呼者番号表示ダイヤルイン（番号取得のためにモデムを使うのでモデムダイヤルインと呼ばれる。以下モデムダイヤルインと呼ぶ。）着信の様な、着信時に特別の制御を必要とするサービスは、回線中継装置に時分割交換方式の様な通話路スイッチに直流信号を通せない方式を採用した場合には提供できなかった。
【０００６】
本発明は、通話路スイッチに直流信号を通せない交換方式を回線中継装置に採用し、通話路スイッチを介さずに直流信号を中継し、前記サービスを可能にすることを課題とする。
【０００７】
【課題を解決するための手段】
上記の課題を解決するために請求項１に記載の発明は、公衆電話網に接続する複数の局線と構内交換機に接続する複数の構内交換機側回線とを接続するように、前記公衆電話網と前記構内交換機間に挿入された回線中継装置において、前記複数の局線の各々について、１０ＰＰＳ、２０ＰＰＳ又はＰＢの信号種別の内の一と複数の着信種別の一とを属性データとして設定する第１設定手段と、前記複数の局線と前記複数の構内交換機側回線とを対応付ける接続制限情報を設定する第２設定手段と、前記局線からの着信呼に対して、前記第２設定手段で設定された情報により接続先となる前記構内交換機側回線を選択した上で、前記第１設定手段によって設定された着信種別のシーケンスに従い、呼出信号は公衆電話網側から構内交換機側へ、通話線の直流の状態変化は双方向に、通話路スイッチを経由せずに中継する呼接続中継手段と、を備え、ダイヤルイン、発呼者番号表示又はモデムダイヤルイン等の前記公衆電話網が提供するサービスの着信条件に対応することを特徴とする。
【０００８】
本発明によれば、時分割交換方式を採用した回線中継装置においても、リングダウン、ダイヤルイン、発呼者番号表示、モデムダイヤルイン等の全てのサービスに対応できる。
【０００９】
本発明の請求項２に記載の回線中継装置は、請求項１に記載の発明において前記第１設定手段と前記第２設定手段を保守端末装置にて構成し、該保守端末装置が、前記複数の局線の各々に対して設定する前記属性データ及び前記複数の局線と前記複数の構内交換機側回線とを対応付ける接続制限情報を一覧表入力データとして入力させた上で、保守端末装置で中央制御装置が認識するデータフォーマットに変換し、前記呼接続中継手段を構成する中央制御装置に転送することを特徴とする。
【００１０】
本発明によれば、着信サービスに影響を与えることなく、複数の公衆電話網にわたってのリースとコストルーチングを実現できる。
【００１２】
また、本発明によれば、複数の公衆電話網からの着信や、多数の公衆電話回線からの着信をサービスを低下させることなく多数の端末装置へ接続することができる。
【００１４】
また、本発明によれば、保守端末装置の一覧表画面上で条件設定することによって、中央処理装置が制御に使うデータテーブルを作成できる。
【００１５】
【発明の実施の形態】
図１は、公衆電話網を含む全体のネットワーク構成図である。
【００１６】
図１において、１は本発明の実施の形態になる回線中継装置、２は構内交換機、３および４は独立した公衆電話網であって網間は相互に接続されている。
【００１７】
５は端末装置としての内線電話機で、５―１から５―ｉまでのｉ個の電話機が構内交換機２の内線として接続されている。
【００１８】
６は公衆電話網３の加入電話機を代表して表したものであり、７は公衆電話網４の加入電話機を代表して表したものである。
【００１９】
Ｍは回線中継装置１と構内交換機２を接続する回線で、本実施の形態では任意数の回線Ｍ１（例えばリングダウン回線）、任意数の回線Ｍ２（例えばダイヤルイン回線）、任意数の回線Ｍ３（例えば発呼者番号表示回線）、任意数の回線Ｍ４（例えばモデムダイヤルイン回線）から構成されると仮定している。
【００２０】
Ｋは公衆電話網３と回線中継装置１を接続する回線群で、Ｋ１からＫ４は回線Ｍ１からＭ４に対応したサービス機能をもつ回線である。
【００２１】
Ｎは公衆電話網４と回線中継装置１を接続する回線群で、Ｎ１からＮ４は回線Ｍ１からＭ４に対応したサービス機能をもつ回線である。
【００２２】
回線Ｋ１からＫ４、回線Ｎ１からＮ４はそれぞれ任意数の回線束からなり、零であってもかまわない。
【００２３】
構内交換機２から発信し、例えば加入電話機６を呼んだ呼は、回線中継装置１で例えば通話料金比較をされ、公衆電話網３を利用した方が経済的か、公衆電話網４を利用し網間接続を利用した方が経済的かを解析されて、回線群Ｋに接続するか回線群Ｎに接続するかを決められる。
【００２４】
発信に対しては、着信専用回線を除きどのサービス機能をもった回線も利用できる。
【００２５】
着信呼に対しては、図５に示すように、Ｋ１回線の呼はＭ１に、Ｋ２回線の呼はＭ２にというように、サービス機能別に接続してやらなければならない。これは回線群Ｎからの着信呼に対しても同様である。
【００２６】
図２は回線中継装置１のブロック構成図で、８は時分割通話路スイッチ、９は局線トランク（ＣＯＴ）でそれぞれＫ１からＮ４に群分けされる。
【００２７】
１０はライン回路（ＬＩＮ）で、Ｍ１からＭ４に群分けされる。
【００２８】
群分けされた局線トランク９もライン回路１０も、機能は異なってもハードウェアは同じで、ソフトウェアで別個の制御がされる。
【００２９】
１１は中央制御装置（ＣＣ）で回線中継装置１全体を制御し、１２は主記憶装置（ＭＭ）でプログラムやデータを格納する。
【００３０】
１３はシステムバスであり、１４はシリアル制御線で、１５のインタフェース回路（Ｉ／Ｆ）を介して局線トランク（ＣＯＴ）９を制御する。１６は制御線でシステムバス１３から直接局線トランク（ＣＯＴ）９を制御する。
【００３１】
同様に１７はシリアル制御線で、１８のインタフェース回路（Ｉ／Ｆ）を介してライン回路（ＬＩＮ）１０を制御する。１９は制御線でシステムバス１３から直接ライン回路（ＬＩＮ）１０を制御する。
【００３２】
２０は保守端末装置で、中央制御装置（ＣＣ）１１に対し、各ライン回路（ＬＩＮ）、局線トランク（ＣＯＴ）の機能設定をおこなう。保守端末装置２０を遠隔地に設置しモデムと通信回線を通して機能設定を行なうこともできる。
【００３３】
図３は局線トランク（ＣＯＴ）９の回路図であり、図中２１は常時動作リレーであるＡＬリレーの接点ａｌで、正常な状態では接点が点線の側に切り替わっている。
【００３４】
２２は通話状態で動作するリレー、ＣＭＬリレーの接点ｃｍｌで、通話線の切り替えを行なう。
【００３５】
２３は公衆電話網側の通話線の極性の反転を検出する、レバース検出回路である。
【００３６】
２４は公衆電話網からのリンギング信号を受信する着信検出回路である。
【００３７】
２５は公衆電話網に対して直流ループを閉成するループ形成回路である。
【００３８】
２６は通話線を通話状態に切り替えるＣＭＬリレーである。
【００３９】
２７はスキャンおよびシグナルドライバ（ＳＣＮ／ＳＤ）の制御回路であり、制御線１６によって制御される。
【００４０】
２８はダイヤルパルスの送出回路である。
【００４１】
２９はハイブリッド回路で２線４線の変換を行なう。そして３０は２線４線変換を行なうためのハイブリッドトランスである。
【００４２】
３１はアナログ信号とＰＣＭ信号の符号化復号化をおこなうコーデック（ＣＯＤＥＣ）である。
【００４３】
３２は時分割交換を行なうハイウェイ（Ｈ／Ｗ）とのインタフェース回路である。
【００４４】
３３は障害監視リレーＡＬで、正常時に動作している。
【００４５】
３４は局線トランク９全体の制御をするマイクロ処理ユニット（ＭＰＵ）である。
【００４６】
Ｌ１、Ｌ２は通話線の局線側端子を表し、通常Ｌ１をＢ線、Ｌ２をＡ線と呼び、無通話時あるいは通話時はＡ線マイナス、Ｂ線プラスの極性を持つ。
【００４７】
次に、図４について説明する。
【００４８】
３５は構内交換機に対する通話線の極性を反転するリレー（ＲＥＶリレー）の接点ｒｅｖで、この接点の動作で極性が反転する。
【００４９】
３６は構内交換機に呼出信号を送出する時に動作するリレー（ＲＧリレー）の接点ｒｇで、この接点が動作することによって呼出信号（リンギング信号）を送出する。
【００５０】
３７は呼出信号発生器で、いわゆるリンギング信号を発生する発振器である。
【００５１】
３８は通話電流を供給するための電源回路である。
【００５２】
３９は構内交換機側の直流ループを監視するループ検出回路である。
【００５３】
４０は通話線の極性を反転するリレーＲＥＶである。
【００５４】
４１は呼出信号、いわゆるリンギング信号を送出するためのＲＧリレーである。
【００５５】
４２はスキャンおよびシグナルドライバ（ＳＣＮ／ＳＤ）制御回路であり、制御線１９によって制御される。
【００５６】
４３は通話路の２線４線変換をするハイブリッド回路で、４４はそのためのハイブリッドトランスである。
【００５７】
４５はアナログ音声とＰＣＭ信号の間の符号化復号化をおこなうコーデック（ＣＯＤＥＣ）である。
【００５８】
４６は時分割交換をするためのハイウェイ（Ｈ／Ｗ）とのインタフェース回路である。
【００５９】
４７はライン回路１０全体を制御するマイクロ処理ユニット（ＭＰＵ）である。
【００６０】
図５は公衆電話網からの着信回線（着信局線）、Ｋ１／Ｎ１からＫ４／Ｎ４と、それぞれが接続されるべき構内交換機への回線、Ｍ１からＭ４の接続制限を示した図である。発信に関しては着信専用回線を除き、このような制限はない。
【００６１】
図６、図７、図８は着信時の信号のやり取りを示すシーケンス図で、図６はリングダウン回線の場合、図７はダイヤルイン回線の場合、図８は発呼者番号表示回線と、モデムダイヤルイン回線の場合を示す。
【００６２】
発呼者番号表示回線とモデムダイヤルイン回線は、通話線を通して送る信号が異なるだけで、図８に示すシーケンスは同じである。
【００６３】
図６により、通常のリングダウン着信のシーケンスについて説明する。
【００６４】
発信側である加入電話機６あるいは７（図１におけるＴＥＬ６あるいはＴＥＬ７）がオフフックして発信する（ステップＳ１０１）。
【００６５】
加入電話機（ＴＥＬ）６から発信したとすると、続いて回線中継装置１への回線群Ｋ１に属する被呼者のダイヤル信号を送出する（ステップＳ１０２）。
【００６６】
このダイヤル信号によって公衆電話網３または公衆電話網３および４で接続が行なわれ（ここでは公衆電話網３のみで接続が行なわれたとする）、Ｋ１回線群の中の着信した１回線の通話路の極性を反転して着信を表示する（ステップＳ１０３）。
【００６７】
回線中継装置１ではこれを識別し、構内交換機２への回線群Ｍ１の空き回線を捕捉して、通話線の極性を反転し構内交換機２に着信を知らせる（ステップＳ１０４）。
【００６８】
構内交換機２は内線電話機（ＥＸＴ）、例えば５―１（または図示省略の局線中継台）に通話線の極性を反転して着信を知らせる（ステップＳ１０５）。
【００６９】
呼出信号にはサイレントタイムがあるので、一般的には着信表示から時間的に多少遅れて公衆電話網３から回線中継装置１へ呼出信号が送られる（ステップＳ１０６）。
【００７０】
この呼出信号は構内交換機２へ中継され（ステップＳ１０７）、更に構内交換機２で中継されて内線電話機（ＥＸＴ）５―１へ送られる（ステップＳ１０８）。
【００７１】
この呼出信号により電話機（ＥＸＴ）５―１のベルが鳴動し、被呼者は送受器を取り上げ、即ちオフフックして応答する（ステップＳ１０９）
構内交換機２ではこの応答信号を受信すると、回線中継装置１への回線の通話路に直流ループを閉成して応答を知らせ（ステップＳ１１０）、回線中継装置１は同様に公衆電話網３に対し通話線の直流ループを閉成して応答を知らせる（ステップＳ１１１）。
【００７２】
この時点で発呼電話機（ＴＥＬ）６と被呼電話機（ＥＸＴ）５―１の間の通話路は完成している。
【００７３】
応答信号を受け取った公衆電話網３は着信信号である通話路の極性反転を解除して通話時の極性に戻す（ステップＳ１１２）。
【００７４】
極性反転解除を識別した回線中継装置１は、構内交換機２へこれを中継し（ステップＳ１１３）、構内交換機２もこれを内線電話機（ＥＸＴ）５―１に中継する（ステップＳ１１４）。
【００７５】
これによって発呼者と被呼者は通話状態に入る。
【００７６】
通話が終わると発呼者が送受器をオンフックし（ステップＳ１１５）、公衆電話網３からは話中音が被呼者に送られてくる（ステップＳ１１６）。また話中音と共に公衆電話網３からは切断信号（短時間の極性反転）が送出され（ステップＳ１１７）、回線中継装置１はこれを構内交換機２に中継する（ステップＳ１１８）。
【００７７】
被呼内線電話機（ＥＸＴ）５―１が送受器をオンフックして切断信号を構内交換機２へ送ると（ステップＳ１１９）、構内交換機２は通話線の直流ループを開放して切断信号を回線中継装置１に中継し（ステップＳ１２０）、回線中継装置１も同様に公衆電話網３に切断信号（ループ開放）を中継する（ステップＳ１２１）。これによって全経路が開放される。
【００７８】
被呼内線電話機（ＥＸＴ）が先に送受器をオンフックする場合もあるが、本発明の実施の形態とは直接関係しないので省略する。
【００７９】
また加入電話機（ＴＥＬ）６が発信し、網間接続路を経由して公衆電話網４経由で回線群Ｎ１から着信する場合もあるが、その場合の着信シーケンスも図６と全く同じであるので省略する（以下の図７、図８のシーケンスについても同じである）。
【００８０】
次に図７によってダイヤルイン回線からの着信シーケンスを説明する。
【００８１】
この場合も発呼加入電話機（ＴＥＬ）は６、公衆電話網は３とし、内線電話機（ＥＸＴ）は５―２として説明する。
【００８２】
加入電話機（ＴＥＬ）６で送受器をオフフックして発信し（ステップＳ２０１）、ダイヤル信号を送出すると（ステップＳ２０２）、公衆電話網３ではダイヤルイン回線への呼であることを識別して、回線群Ｋ２の回線を選択し、選択した回線の通話線の極性を反転して着信表示をする（ステップＳ２０３）。
【００８３】
回線中継装置１はそれを構内交換機２へ中継する（ステップＳ２０４）。
【００８４】
続いて公衆通信網３からは呼出信号（電話機の呼出信号とは異なるインターリンギング）を送出する（ステップＳ２０５）。
【００８５】
回線中継装置１では、着信回線と呼出信号からダイヤルイン呼であることを識別して、回線群Ｍ２の特定回線を選択して、この呼出信号を構内交換機２へ中継する（ステップＳ２０６）。
【００８６】
構内交換機２ではダイヤルイン呼であることを識別するので、内線の呼出は行なわず、構内交換機２で着信回線の通話線に直流ループを閉成して一次応答を返す（ステップＳ２０７）。
【００８７】
回線中継装置１では通話路を形成すると共に、これを中継して公衆電話網３に直流ループ閉成による一次応答を返す（ステップＳ２０８）。
【００８８】
公衆電話網３からは一次応答受信によって、通話路を通して選択信号（ダイヤルイン番号）を構内交換機２へ送ってくる（ステップＳ２０９）。
【００８９】
構内交換機２では、被呼ダイヤルイン番号を受け取るので、被呼電話機（本実施の形態では内線電話機（ＥＸＴ）５―２）へ通話路の極性反転による着信表示を行なう（ステップＳ２１０）。
【００９０】
構内交換機では被呼内線電話機（ＥＸＴ）５―２に呼出信号を送出して呼出すと共に（ステップＳ２１１）、回線中継装置１に対し通話線の直流ループを開放し、受信完了信号を送る（ステップＳ２１２）。
【００９１】
回線中継装置１はこれを中継して公衆電話網３へ受信完了信号を送る（ステップＳ２１３）。
【００９２】
内線電話機（ＥＸＴ）５―２で送受器をオフフックして応答すれば（ステップＳ２１４）直流ループを構内交換機２で検出し、回線中継装置１に対して通話線の直流ループを閉成して二次応答信号を返し（ステップＳ２１５）、回線中継装置１はこれを中継して公衆電話網３に二次応答を返す（ステップＳ２１６）。
【００９３】
これによって発呼者と被呼者間の通話が可能になる。
【００９４】
通話終了後の復旧シーケンスは図６の場合と同じである。
【００９５】
図８によって、発呼者番号表示呼とモデムダイヤルイン呼の着信シーケンスを説明する。
【００９６】
両者は着信シーケンスは同じであるが、被呼者呼出し前に通話線を通して構内交換機２へ送られる情報が異なる。従って着信する回線も、選択する回線Ｍも異なる。
【００９７】
図８において、加入電話機（ＴＥＬ）６で送受器を上げてオフフックし発信する（ステップＳ３０１）。
【００９８】
続いてダイヤル信号を送出すると（ステップＳ３０２）、公衆電話網３から着信回線に対し通話線の極性を反転して着信表示をする（ステップＳ３０３）。
【００９９】
着信表示を受けた回線中継装置１は、接続すべき構内交換機２への回線Ｍを選択し、同様に通話線の極性を反転して着信表示をする（ステップＳ３０４）。回線中継装置１も構内交換機２も着信回線から発呼者番号表示呼かモデムダイヤルイン呼かを識別する。
【０１００】
続いて公衆電話網３からは情報受信端末起動信号としてのリンギング信号が送られてくる（ステップＳ３０５）。
【０１０１】
回線中継装置１はこの情報受信端末起動信号を構内交換機２への回線Ｍに中継し、構内交換機２は情報受信端末起動信号を受信する（ステップＳ３０６）。
【０１０２】
構内交換機２は回線中継装置１への回線の通話線に直流ループを閉成し、一次応答を返す（ステップＳ３０７）。
【０１０３】
回線中継装置１はこの信号を中継して、公衆電話網３に一次応答を返すと共に、着信局線Ｋと構内交換機２への回線Ｍの通話路を設定する（ステップＳ３０８）。
【０１０４】
一次応答が返ったことにより、公衆電話網３は通話線を通してモデム信号により、発呼者番号、ダイヤルイン番号等を構内交換機２へ送る（ステップＳ３０９）。
【０１０５】
構内交換機２は内線電話機（ＥＸＴ）５―ｉに対し通話線の極性を反転し着信表示をすると共に、発呼者番号等の情報を内線電話機（ＥＸＴ）に送り、これを受信させる（ステップＳ３１０）。
【０１０６】
構内交換機２はまたステップＳ３０９の情報等の受信を受けて、通話線の直流ループを開放して受信完了信号を回線中継装置１へ返し（ステップＳ３１１）、回線中継装置１はこれを中継して公衆電話網３に受信完了信号を返す（ステップＳ３１２）。
【０１０７】
公衆電話網３は受信完了信号を受け取ると、呼出信号を回線中継装置１に送出し（ステップＳ３１３）、回線中継装置１および構内交換機２はこれを中継して内線電話機（ＥＸＴ）５―ｉのベルを鳴らす（ステップＳ３１４、ステップＳ３１５）。
【０１０８】
内線電話機（ＥＸＴ）５―ｉの送受器をオフフックして応答すると（ステップＳ３１６）、構内交換機２は回線中継装置１に対し通話線の直流ループを閉成して二次応答信号を返し（ステップＳ３１７）、回線中継装置１はこれを中継して公衆電話網３に二次応答信号を返す（ステップＳ３１８）。
【０１０９】
これによって発呼者と被呼者間の通話路が構成され、通話に入る。
【０１１０】
通話終了後の復旧シーケンスは図６と同じである。
【０１１１】
次に、図９、図１０のフローチャートに従ってリングダウン着信の動作を説明する。
【０１１２】
図１の加入電話機（ＴＥＬ）６が送受器を上げてオフフックすると公衆電話網３では発信検出をする（ステップＳ４０１）。
【０１１３】
続いて発呼電話機（ＴＥＬ）６からのダイヤルを受信すると（ステップＳ４０２）、被呼局線トランク（図２のＣＯＴ９の一つ）に対し通話線の極性を反転してくる（ステップＳ４０３）。
【０１１４】
公衆電話網３は呼出信号のサイレントタイムだけ遅れて呼出信号を送出してくる（ステップＳ４０４）。
【０１１５】
図３の局線トランク（ＣＯＴ）９ではレバース検出回路２３が極性反転を検出し、ＳＣＮ／ＳＤ制御回路２７の制御によって制御線１６、バス１３のルートで図２の中央制御装置（ＣＣ）１１にリングダウン回線Ｋ１への着信を知らせる（ステップＳ４０５）。
【０１１６】
図２で中央制御装置（ＣＣ）１１は空きリングダウン回線Ｍ１のライン回路（ＬＩＮ）１０を捕捉して（ステップＳ４０６）、バス１３、制御線１９によりＳＣＮ／ＳＤ制御回路４２へ信号を送って、ＲＥＶリレー４０を動作させ、その２つの接点ｒｅｖ３５の動作によって構内交換機２への極性を反転する（ステップＳ４０７）。
【０１１７】
一方、呼出信号を受信した局線トランク（ＣＯＴ）９は、図３の着信検出回路２４でこれを検出し、ＳＣＮ／ＳＤ制御回路２７の制御で制御線１６、バス１３によって中央制御装置（ＣＣ）１１に知らせる（ステップＳ４０８）。
【０１１８】
中央制御装置（ＣＣ）１１はバス１３、制御線１９を介してＳＣＮ／ＳＤ制御回路４２を制御してＲＧリレー４１を断続的に動作させて、その２つの接点ｒｇ３６を切り替えて構内交換機２へ呼出信号を送出する（ステップＳ４０９）。
【０１１９】
構内交換機２は極性反転を検出することにより（ステップＳ４１０）、着信を識別し、例えば内線電話機（ＥＸＴ）５―１への極性を反転する（ステップＳ４１１）。
【０１２０】
また構内交換機２はステップＳ４０９で送られた呼出信号を検出し（ステップＳ４１２）、内線電話機（ＥＸＴ）５―１に呼出信号を送出し、ベルを鳴動させる（ステップＳ４１３）。
【０１２１】
内線電話機（ＥＸＴ）５―１がオフフックして応答すると構内交換機２が応答を検出し（ステップＳ４１４）、回線中継装置１に対しループを閉成し（ステップＳ４１５）、内線電話機（ＥＸＴ）５―１と着信した回線Ｍ１の間の通話パスを設定する（ステップＳ４１６）。
【０１２２】
ステップＳ４１５で閉成された構内交換機２のループは、図４のＬ１、Ｌ２端子からｒｅｖ３５のメーク接点、ｒｇ３６のブレーク接点（ＲＧリレーは動作復旧を繰り返している）を通る回路でループ検出回路３９で検出され、ＳＣＮ／ＳＤ制御回路４２経由で制御線１９によってバス１３へ、そして中央制御装置（ＣＣ）１１へ伝えられる（ステップＳ４１７）。
【０１２３】
中央制御装置（ＣＣ）１１はバス１３、図３の制御線１６、ＳＣＮ／ＳＤ制御回路２７経由でＣＭＬリレーを動作させると共に、ループ形成回路２５を駆動し、公衆電話網３に対して直流ループを閉成する（ステップＳ４１８）。
【０１２４】
中央制御装置（ＣＣ）１１は又、通話路スイッチ８を駆動して被呼内線電話機（ＥＸＴ）５―１と局線トランク（ＣＯＴ）９の間を接続し、通話パスを設定する（ステップＳ４１９）。
【０１２５】
公衆電話網３はループの閉成を検出すると（ステップＳ４２０）、局線トランク（ＣＯＴ）９に対する極性反転を解除し（ステップＳ４２１）、発呼加入電話機（ＴＥＬ）６と、前記局線トランク（ＣＯＴ）９の間の通話パスを設定する（ステップＳ４２２）。
【０１２６】
公衆電話網３からの極性反転が解除されると、図３のレバース検出回路２３で極性反転解除が検出され（ステップＳ４２３）、ＳＣＮ／ＳＤ制御回路２７、制御線１６、バス１３、中央制御装置（ＣＣ）１１の経路で中央制御装置（ＣＣ）１１に知らされる。
【０１２７】
中央制御装置（ＣＣ）１１は、制御線１９、ＳＣＮ／ＳＤ制御回路４２、ＲＥＶリレーの経路でＲＥＶリレーを復旧させ、構内交換機２に対する極性反転を解除する（ステップＳ４２４）。
【０１２８】
構内交換機２では極性反転解除を検出し（図１０、ステップＳ４２５）内線電話機（ＥＸＴ）５―１に対する極性反転を解除して通話状態に入る（ステップＳ４２６）。
【０１２９】
通話が終了し、発呼加入電話機（ＴＥＬ）６がオンフックすると、公衆電話網３が切断の検出をし（ステップＳ４２７）、被呼者に対して話中音を送出する（ステップＳ４２８）。
【０１３０】
また公衆電話網３は通話線の極性を短時間反転して切断信号を局線トランク（ＣＯＴ）９に送る（ステップＳ４２９）。
【０１３１】
図３の局線トランク９ではレバース検出回路２３が短時間の極性反転を検出し、ＳＣＮ／ＳＤ制御回路２７、制御線１６、バス１３、中央制御装置（ＣＣ）１１の経路で中央制御装置（ＣＣ）１１に伝え（ステップＳ４３０）、中央制御装置（ＣＣ）１１は、バス１３制御線１９、ＳＣＮ／ＳＤ制御回路４２の経路でＲＥＶリレーを短時間動作させて通話路の極性を短時間反転し、構内交換機２へ切断信号を送る（ステップＤ４３１）。
【０１３２】
構内交換機２ではこの切断信号を検出する（ステップＳ４３３）。
【０１３３】
一方、被呼内線電話機（ＥＸＴ）５―１がオンフックすれば構内交換機２が切断を検出し（ステップＳ４３２）、発呼者、被呼者共に切断したことを確認して、構内交換機２内の通話パスを開放する（ステップＳ４３４）と共に回線中継装置１へのループを開放する（ステップＳ４３５）。
【０１３４】
回線中継装置１では、図４のライン回路（ＬＩＮ）１０で、ループ検出回路３９がこれを検出し（ステップＳ４３６）、ＳＣＮ／ＳＤ制御回路４２、制御線１９、バス１３、中央制御装置（ＣＣ）１１の経路で中央制御装置（ＣＣ）１１に通知され、中央制御装置（ＣＣ）１１は通話路スイッチ８のパスを開放する（ステップＳ４３７）。
【０１３５】
また中央制御装置（ＣＣ）１１は、バス１３、制御線１６、ＳＣＮ／ＳＤ制御回路２７を通してループ形成回路２５を開放する（ステップＳ４３８）と共に、ＣＭＬリレーを復旧させて空き状態に戻す。
【０１３６】
公衆電話網３ではループ開放を検出し（ステップＳ４３９）、切断処理を行なう（ステップＳ４４０）。
【０１３７】
次に、図１１、図１２のフローチャートに従ってダイヤルイン着信の動作を説明する。
【０１３８】
図１の加入電話機（ＴＥＬ）６が送受器を上げてオフフックすると公衆電話網３では発信検出をする（ステップＳ５０１）。
【０１３９】
続いて発呼電話機（ＴＥＬ）６からのダイヤルを受信すると（ステップＳ５０２）、被呼局線トランク（図２のＣＯＴ９の一つ）に対し通話線の極性を反転してくる（ステップＳ５０３）。
【０１４０】
公衆電話網３は呼出信号のサイレントタイムだけ遅れて呼出信号（リングダウンとは異なるインターリンギング）を送出してくる（ステップＳ５０４）。
【０１４１】
図３の局線トランク（ＣＯＴ）９ではレバース検出回路２３が極性反転を検出し、ＳＣＮ／ＳＤ制御回路２７の制御によって制御線１６、バス１３のルートで図２の中央制御装置（ＣＣ）１１にダイヤルイン回線Ｋ２への着信を知らせる（ステップＳ５０５）。
【０１４２】
図２で中央制御装置（ＣＣ）１１は空きダイヤルイン回線Ｍ２のライン回路（ＬＩＮ）１０を捕捉して（ステップＳ５０６）、バス１３、制御線１９によりＳＣＮ／ＳＤ制御回路４２へ信号を送り、ＲＥＶリレー４０を動作させ、その２つの接点ｒｅｖ３５の動作によって構内交換機２への極性を反転する（ステップＳ５０７）。
【０１４３】
構内交換機２は極性反転を検出することにより（ステップＳ５０８）、着信を識別する。
【０１４４】
一方、呼出信号を受信した局線トランク（ＣＯＴ）９は、図３の着信検出回路２４でこれを検出し、ＳＣＮ／ＳＤ制御回路２７の制御で制御線１６、バス１３によって中央制御装置（ＣＣ）１１に知らせる（ステップＳ５０９）。
【０１４５】
中央制御装置（ＣＣ）１１はバス１３、制御線１９を介してＳＣＮ／ＳＤ制御回路４２を制御してＲＧリレー４１を断続的に動作させて、その２つの接点ｒｇ３６を切り替えて構内交換機２へ呼出信号を送出する（ステップＳ５１０）。
【０１４６】
また構内交換機２はステップＳ５１０で送られた呼出信号を検出し（ステップＳ５１１）、回線中継装置１への着信回線がダイヤルイン回線であることと、インターリンギングの違いで、ダイヤルイン着信呼であることを認識しているので、回線中継装置１に対して通話線のループを閉成し、一次応答を返す（ステップＳ５１２）。
【０１４７】
図４のライン回路（ＬＩＮ）１０では、ループ検出回路３９によってループの閉成を検出し（ステップＳ５１３）、ＳＣＮ／ＳＤ制御回路４２、制御線１９、バス１３経由で中央制御装置（ＣＣ）１１にループの閉成を知らせる。
【０１４８】
中央制御装置（ＣＣ）１１は、バス１３、制御線１６、ＳＣＮ／ＳＤ制御回路２７、の経路でＣＭＬリレーを動作させると共に、ループ形成回路２５を閉じて公衆電話網３に対してループを閉成し、一次応答を返す（ステップＳ５１４）。
【０１４９】
この時、中央制御装置（ＣＣ）１１は通話路スイッチ８を制御して、構内交換機２と公衆電話網３の間の通話パスを設定する（ステップＳ５１５）。
【０１５０】
公衆電話網３では一次応答を検出すると（ステップＳ５１６）、押しボタンダイヤルの選択信号を送出してくる（ステップＳ５１７）。
【０１５１】
この選択信号、即ちダイヤルイン番号は通話線を通って直接構内交換機２で受信される（ステップＳ５１８）。
【０１５２】
選択信号の受信で構内交換機２は、被呼内線電話機（ＥＸＴ）、例えば５―２を識別できるので、被呼電話機に対し極性の反転をし（ステップＳ５１９）、呼出信号を送出する（ステップＳ５２０）。
【０１５３】
構内交換機２では回線中継装置１に対しループを開放し、受信完了信号を送出する（図１２、ステップＳ５２１）。
【０１５４】
回線中継装置１では、図４のループ検出回路３９でこれを検出し（ステップＳ５２２）、ＳＣＮ／ＳＤ制御回路４２、制御線１９、バス１３、の経路で中央制御装置（ＣＣ）１１に伝え、中央制御装置（ＣＣ）１１はバス１３、制御線１６、ＳＣＮ／ＳＤ制御回路２７、ループ形成回路の経路で通話線間の直流ループを開放する（ステップＳ５２３）。
【０１５５】
公衆電話網３は、この受信完了信号を受信し（ステップＳ５２４）、ＰＢ選択信号の送出を止める。
【０１５６】
内線電話機（ＥＸＴ）５―２がオフフックして応答すると、構内交換機２が応答を検出し（ステップＳ５２５）、回線中継装置１に対し二次応答としてループを閉成し（ステップＳ５２６）、内線電話機（ＥＸＴ）５―２と着信した回線Ｍ１の間の通話パスを設定する（ステップＳ５２７）。
【０１５７】
ステップＳ５２７で閉成された構内交換機２のループは、図４のＬ１、Ｌ２端子からｒｅｖ３５のメーク接点、ｒｇ３６のブレーク接点（ＲＧリレーは動作復旧を繰り返している）を通る回路によりループ検出回路３９で検出され（ステップＳ５２８）、ＳＣＮ／ＳＤ制御回路４２経由で制御線１９によってバス１３へ、そして中央制御装置（ＣＣ）１１へ伝えられる。
【０１５８】
中央制御装置（ＣＣ）１１はバス１３、図３の制御線１６、ＳＣＮ／ＳＤ制御回路２７経由でループ形成回路２５を駆動し、公衆電話網３に対して二次応答としての直流ループを閉成する（ステップＳ５２９）。
【０１５９】
公衆電話網３はループの閉成で二次応答を検出すると（ステップＳ５３０）、局線トランク（ＣＯＴ）９に対する極性反転を解除し（ステップＳ５３１）、発呼加入電話機（ＴＥＬ）６と、前記局線トランク（ＣＯＴ）９の間の通話パスを設定する（ステップＳ５３２）。
【０１６０】
公衆電話網３からの極性反転が解除されると、図３のレバース検出回路２３で極性反転解除が検出され（ステップＳ５３３）、ＳＣＮ／ＳＤ制御回路２７、制御線１６、バス１３、の経路で中央制御装置（ＣＣ）１１に知らされる。
【０１６１】
中央制御装置（ＣＣ）１１は、制御線１９、ＳＣＮ／ＳＤ制御回路４２、ＲＥＶリレーの経路でＲＥＶリレーを復旧させ、構内交換機２に対する極性反転を解除する（ステップＳ５３４）。
【０１６２】
構内交換機２では極性反転解除を検出し（ステップＳ５３５）、内線電話機（ＥＸＴ）５―２に対する極性反転を解除し通話状態に入る（ステップＳ５３６）。
【０１６３】
通話終了後の復旧シーケンスはリングダウンの場合と同じであるので省略する。
【０１６４】
次に、図１３、図１４、図１５のフローチャートに従って発呼者番号表示およびモデムダイヤルイン着信の動作を説明する。
【０１６５】
発呼者番号表示とモデムダイヤルインとは公衆電話網３から構内交換機２へ通話線を通して送られる情報の内容が異なるのみで、回線中継装置１の動作には違いがないのでまとめて説明する。
【０１６６】
図１の加入電話機（ＴＥＬ）６が送受器を上げてオフフックすると、公衆電話網３では発信検出をする（ステップＳ６０１）。
【０１６７】
続いて発呼電話機（ＴＥＬ）６からのダイヤルを受信すると（ステップＳ６０２）、被呼局線トランク（図２のＣＯＴ９の一つ）に対し通話線の極性を反転してくる（ステップＳ６０３）。
【０１６８】
図３の局線トランク（ＣＯＴ）９ではレバース検出回路２３が極性反転を検出し、ＳＣＮ／ＳＤ制御回路２７の制御によって制御線１６、バス１３のルートで図２の中央制御装置（ＣＣ）１１に発呼者番号表示回線Ｋ３かモデムダイヤルイン回線Ｋ４への着信（図５参照）を知らせる（ステップＳ６０４）。
【０１６９】
図２で中央制御装置（ＣＣ）１１は空き発呼者番号表示回線Ｍ３またはモデムダイヤルイン回線Ｍ４のライン回路（ＬＩＮ）１０を捕捉して（ステップＳ６０５）、バス１３、制御線１９によりＳＣＮ／ＳＤ制御回路４２へ信号を送り、ＲＥＶリレー４０を動作させ、その２つの接点ｒｅｖ３５の動作によって構内交換機２への極性を反転する（ステップＳ６０６）。
【０１７０】
構内交換機２は極性反転を検出することにより（ステップＳ６０７）、着信を識別する。
【０１７１】
公衆電話網３は極性反転（ステップＳ６０３）から、呼出信号のサイレントタイムだけ遅れて、情報受信端末起動信号としての呼出信号（リングダウンとは異なるインターリンギング）を送出してくる（ステップＳ６０８）。
【０１７２】
一方、情報受信端末起動信号としての呼出信号を受信した局線トランク（ＣＯＴ）９は、図３の着信検出回路２４でこれを検出し、ＳＣＮ／ＳＤ制御回路２７の制御で制御線１６、バス１３によって中央制御装置（ＣＣ）１１に知らせる（ステップＳ６０９）。
【０１７３】
中央制御装置（ＣＣ）１１はバス１３、制御線１９を介して図４のライン回路（ＬＩＮ）１０のＳＣＮ／ＳＤ制御回路４２を制御してＲＧリレー４１を断続的に動作させて、その２つの接点ｒｇ３６を切り替えて構内交換機２へ情報受信端末起動信号としての呼出信号を送出する（ステップＳ６１０）。
【０１７４】
構内交換機２はステップＳ６１０で送られた情報受信端末起動信号としての呼出信号を検出し（ステップＳ６１１）、着信回線Ｍが発呼者番号表示回線またはモデムダイヤルイン回線であることと、インターリンギングの違いで、発呼者番号表示の着信呼またはモデムダイヤルインの着信呼であることを認識しているので、回線中継装置１に対して通話線のループを閉成し、一次応答を返す（ステップＳ６１２）。
【０１７５】
図４のライン回路（ＬＩＮ）１０では、ループ検出回路３９によって一次応答としてのループの閉成を検出し（ステップＳ６１３）、ＳＣＮ／ＳＤ制御回路４２、制御線１９、バス１３経由で中央制御装置（ＣＣ）１１にループの閉成を知らせる一方、中央制御装置（ＣＣ）１１の指示でＲＥＶリレーを復旧させ極性反転を解除する。
【０１７６】
中央制御装置（ＣＣ）１１は、バス１３、制御線１６、ＳＣＮ／ＳＤ制御回路２７、経路でＣＭＬリレーを動作させると共に、ループ形成回路２５を閉じて公衆電話網３に対してループを閉成し一次応答を返す（ステップＳ６１４）。
【０１７７】
この時、中央制御装置（ＣＣ）１１は通話路スイッチ８を制御して、構内交換機２と公衆電話網３の間の通話パスを設定する（ステップＳ６１５）。
【０１７８】
公衆電話網３では一次応答を検出すると（ステップＳ６１６）極性反転を解除して、モデム信号を送出してくる（ステップＳ６１７）。
【０１７９】
このモデム信号、即ち発呼者番号、または発呼者番号とダイヤルイン番号、等の情報は、通話線を通って直接構内交換機２で受信される（ステップＳ６１８）。
【０１８０】
情報等のモデム信号を受信した構内交換機２は、回線中継装置１に対し、直流ループを開放して受信完了信号を送る（ステップＳ６１９）。
【０１８１】
回線中継装置１では、図４のループ検出回路３９でこれを検出し（ステップＳ６２０）、ＳＣＮ／ＳＤ制御回路４２、制御線１９、バス１３を通して中央制御装置（ＣＣ）１１に知らせる。
【０１８２】
中央制御装置（ＣＣ）１１は、バス１３、制御線１６、ＳＣＮ／ＳＤ制御回路２７の経路で、図３のループ形成回路２５にループ開放指示を送り、公衆電話網３へ受信完了信号（ループを開放）を送出する（ステップＳ６２１）。
【０１８３】
受信完了信号を検出した公衆電話網３は（ステップＳ６２２）、モデム信号の送出を止め、回線中継装置１に対し極性を反転してくる（ステップＳ６２３）。
【０１８４】
回線中継装置１の局線トランク（ＣＯＴ）９ではレバース検出回路２３でこれを検出し（ステップＳ６２４）、ＳＣＮ／ＳＤ制御回路２７、制御線１６、バス１３の経路で中央制御装置（ＣＣ）１１に極性反転を知らせる。
【０１８５】
中央制御装置（ＣＣ）１１は、バス１３、制御線１９、ＳＣＮ／ＳＤ制御回路４２の経路でＲＥＶリレーを動作させ、構内交換機２に対する極性を反転する（ステップＳ６２５）。
【０１８６】
構内交換機２では極性の反転を検出し（ステップＳ６２６）、内線電話機（ＥＸＴ）５―ｉに対し極性を反転する（ステップＳ６２７）。
【０１８７】
公衆電話網３において極性を反転してから、呼出信号のサイレントタイムだけ遅れて呼出信号が回線中継装置１に対して送出される（ステップＳ６２８）。
【０１８８】
回線中継装置１では、図３の着信検出回路２４で呼出信号を検出し（ステップＳ６２９）、ＳＣＮ／ＳＤ制御回路２７、制御線１６、バス１３の経路で中央制御装置（ＣＣ）１１に知らせ、これによって中央制御装置（ＣＣ）１１は、バス１３、制御線１９、ＳＣＮ／ＳＤ制御回路４２の経路でＲＧリレーを断続し、呼出信号を構内交換機２へ送出する（ステップＳ６３０）。
【０１８９】
構内交換機２が呼出信号を検出すると（ステップＳ６３１）、内線電話機（ＥＸＴ）５―ｉに呼出信号を送出する（ステップＳ６３２）。
【０１９０】
内線電話機（ＥＸＴ）５―ｉがオフフックして応答すると構内交換機２が応答を検出し（ステップＳ６３３）、回線中継装置１に対し二次応答としてループを閉成し（ステップＳ６３４）、内線電話機（ＥＸＴ）５―ｉと着信した回線Ｍ３又はＭ４の間の通話パスを設定する（ステップＳ６３５）。
【０１９１】
ステップＳ６３４で閉成された構内交換機２のループは、図４のＬ１、Ｌ２端子からｒｅｖ３５のメーク接点、ｒｇ３６のブレーク接点（ＲＧリレーは動作復旧を繰り返している）を通る回路によりループ検出回路３９で検出され（ステップＳ６３６）、ＳＣＮ／ＳＤ制御回路４２経由で制御線１９によってバス１３へ、そして中央制御装置（ＣＣ）１１へ伝えられる。
【０１９２】
中央制御装置（ＣＣ）１１はバス１３、図３の制御線１６、ＳＣＮ／ＳＤ制御回路２７経由でループ形成回路２５を駆動し、公衆電話網３に対して二次応答としての直流ループを閉成する（ステップＳ６３７）。
【０１９３】
公衆電話網３はループの閉成で二次応答を検出すると（ステップＳ６３８）、局線トランク（ＣＯＴ）９に対する極性反転を解除し（ステップＳ６３９）、発呼加入電話機（ＴＥＬ）６と、前記局線トランク（ＣＯＴ）９の間の通話パスを設定する（ステップＳ６４０）。
【０１９４】
公衆電話網３からの極性反転が解除されると、図３のレバース検出回路２３で極性反転解除が検出され（ステップＳ６４１）、ＳＣＮ／ＳＤ制御回路２７、制御線１６、バス１３、の経路で中央制御装置（ＣＣ）１１に知らされる。
【０１９５】
中央制御装置（ＣＣ）１１は、制御線１９、ＳＣＮ／ＳＤ制御回路４２、ＲＥＶリレーの経路でＲＥＶリレーを復旧させ、構内交換機２に対する極性反転を解除する（ステップＳ６４２）。
【０１９６】
構内交換機２では極性反転解除を検出し（ステップＳ６４３）、内線電話機（ＥＸＴ）５―ｉに対する極性反転を解除し通話状態に入る（ステップＳ６４４）。
【０１９７】
通話終了後の復旧シーケンスはリングダウンの場合と同じであるので省略する。
【０１９８】
以上説明した様に、構内交換機２と公衆電話網３の間に、通話線を直流信号が通らない時分割交換機の様な回線中継装置１を挿入しても、中央制御装置であるＣＣ１１の制御で直流信号および呼出信号を中継してやることによって、ダイヤルイン、発呼者番号表示、モデムダイヤルインの様なサービスに対応できる。
【０１９９】
以上の実施の形態の説明では公衆電話網３からの回線Ｋについて説明したが、公衆電話網４からの回線Ｎについても同様である。
【０２００】
また構内交換機２および内線電話機５について説明したが、いずれも一般的なデータ端末装置や電話端末装置であっても本発明の効果は変わらない。
【０２０１】
図１６は局線対応の着信規制内線のデータを示したもので、図５に示した回線中継装置１における回線種別による接続制限を、中央制御装置（ＣＣ）１１が実行する場合に、中央制御装置（ＣＣ）１１が参照するメモリ上の規制テーブルである。
【０２０２】
回線ＫおよびＮから着信し、回線中継装置１で局線トランク（ＣＯＴ）９が決った時、図１６のテーブルによって規制のない回線Ｍ，即ちライン回路（ＬＩＮ）１０が判明し、規制のあるライン回路（ＬＩＮ）１０への呼はブロックする。
【０２０３】
図１７は局線対応の属性データを示したもので、ハードウェアの実装の有無、信号種別、ルートに関するデータ、リングダウン、ダイヤルイン、発呼者番号表示、モデムダイヤルインと言った着信種別等が表示されている。
【０２０４】
中央制御装置（ＣＣ）１１は、図１６および図１７のメモリ上のテーブルと照合しながら接続を行なう。
【０２０５】
図１８は、保守端末装置２０（例えばパーソナルコンピュータ）から信号種別、着信種別等のデータを、保守端末装置２０からの入力する画面の一例で、保守端末装置２０において図１７に示す、局線（回線ＫおよびＮ）毎の信号種別、および着信種別を表すデータフォーマットに変換し中央制御装置（ＣＣ）１１経由で主記憶装置（ＭＭ）１２に記憶させる。図１８は表示画面の該当するものを、画面上でクリックすることによって表の作成ができるようになっている。
【０２０６】
図１９は図１８の着信種別から生じる、回線中継装置１の局線トランク（ＣＯＴ）９とライン回路（ＬＩＮ）１０の接続制限を表にしたものである。
【０２０７】
保守端末装置２０は、図１９を図１６のフォーマットに変換し、中央制御装置（ＣＣ）１１経由で主記憶装置（ＭＭ）１２へ記憶させる。
【０２０８】
この様に保守端末装置２０の画面上の全局線を表す表で局条件の入力、あるいは変更ができるので、局データの作成が容易になる。
【０２０９】
なお、図１６から図１９では、局線トランク（ＣＯＴ）９、ライン回路（ＬＩＮ）１０共に１６になっているが、これは一例にすぎない。
【０２１０】
図２では、保守端末装置２０が直接中央制御装置（ＣＣ）１１に接続されている場合を示したが、通信回線とモデムを用いて遠隔地から局データの設定もできる。
【０２１１】
【発明の効果】
本発明によれば、直流信号や呼出信号を通話路スイッチを通して伝達できない時分割交換方式を採用したような回線中継装置においても、中央制御装置の制御によって、前記信号を伝達できるので、ダイヤルイン、発呼者番号表示、モデムダイヤルインのようなサービスが実現できる効果がある。
【図面の簡単な説明】
【図１】本発明の実施の形態におけるネットワーク構成図である。
【図２】回線中継装置のブロック構成図である。
【図３】局線トランク（ＣＯＴ）のブロック構成図である。
【図４】ライン回路（ＬＩＮ）のブロック構成図である。
【図５】回線ＫおよびＮと、回線Ｍの接続制限を示す図である。
【図６】リングダウン着信のシーケンスチャートである。
【図７】ダイヤルイン着信のシーケンスチャートである。
【図８】発呼者番号表示着信およびモデムダイヤルイン着信のシーケンスチャートである。
【図９】リングダウン着信のフローチャートその１である。
【図１０】リングダウン着信のフローチャートその２である。
【図１１】ダイヤルイン着信のフローチャートその１である。
【図１２】ダイヤルイン着信のフローチャートその２である。
【図１３】発呼者番号表示着信およびモデムダイヤルイン着信のフローチャートその１である。
【図１４】発呼者番号表示着信およびモデムダイヤルイン着信のフローチャートその２である。
【図１５】発呼者番号表示着信およびモデムダイヤルイン着信のフローチャートその３である。
【図１６】局線回路毎のライン回路への接続制限データテーブルである。
【図１７】局線回路毎の属性データテーブルである。
【図１８】局線毎の信号種別、着信種別の入力画面である。
【図１９】局線とライン回路の接続制限入力画面である。
【符号の説明】
１    回線中継装置
２    構内交換機
３    公衆電話網
４    公衆電話網
５    内線電話機（ＥＸＴ）
６    公衆電話加入者（ＴＥＬ）
７    公衆電話加入者（ＴＥＬ）
８    通話路スイッチ
９    局線トランク（ＣＯＴ）
１０    ライン回路（ＬＩＮ）
１１    中央制御装置（ＣＣ）
１２    主記憶装置（ＭＭ）
２０    保守端末装置
【図１】
0003770742.tif 000002
【図２】
0003770742.tif 000003
【図３】
0003770742.tif 000004
【図４】
0003770742.tif 000005
【図５】
0003770742.tif 000006
【図６】
0003770742.tif 000007
【図７】
0003770742.tif 000008
【図８】
0003770742.tif 000009
【図９】
0003770742.tif 000010
【図１０】
0003770742.tif 000011
【図１１】
0003770742.tif 000012
【図１２】
0003770742.tif 000013
【図１３】
0003770742.tif 000014
【図１４】
0003770742.tif 000015
【図１５】
0003770742.tif 000016
【図１６】
0003770742.tif 000017
【図１７】
0003770742.tif 000018
【図１８】
0003770742.tif 000019
【図１９】
0003770742.tif 000020